(57)【要約】  本発明は、清掃用具に関する。清掃用具は、清掃するべき表面に当たることに適合している清掃部材と、清掃部材を支持する支持部材とを備え、清掃部材に加えられた外力に応答して、清掃部材は支持部材に対して相対的に伸長位置及び退避位置の間で弾性的に可動である。また、支持部材に設けられている一つ以上の当接部材を備えている。当接部材は、清掃部材が退避位置になったときに、前記表面に当たることに適合し、これにより清掃部材がさらに退避することを実質的に防止する。
2021512655.tif 000002
【特許請求の範囲】
【請求項１】
清掃するべき表面に当たることに適合している清掃部材と、
前記清掃部材を支持する支持部材であって、前記清掃部材に加えられた外力に応答して、前記清掃部材が支持部材に対して相対的に伸長位置及び退避位置の間で弾性的に可動である、支持部材と、
前記支持部材に設けられている一つ以上の当接部材とを備え、
前記当接部材は、前記清掃部材が前記退避位置になったときに、前記表面に当たることに適合し、これにより前記清掃部材がさらに退避することを実質的に防止する、清掃のための用具。
【請求項２】
前記清掃部材が前記伸長位置になったときに、一つ以上の前記当接部材が前記表面の上方に位置する請求項１記載の用具。
【請求項３】
加えられた前記外力に応答して、一つ以上の前記当接部材は、前記清掃部材が前記退避位置へ弾性的に退避することに適合している間に、前記表面に向けて移動することに適合している請求項１記載の用具。
【請求項４】
一つ以上の前記当接部材が、前記表面に回転可能に当たることに適合している一つ以上の回転手段を備えている請求項１記載の用具。
【請求項５】
前記清掃部材が、一つ以上の弾性手段を介して前記支持部材への接続に適合している請求項１記載の用具。
【請求項６】
前記清掃部材が、一つ以上のブラシ部を備え、各前記ブラシ部が複数のブラシ毛又はブラシ毛の複数の束を有する請求項１記載の用具。
【請求項７】
一つ以上の前記ブラシ部が、一つ以上の各弾性手段を介して前記支持部材への接続に適合している請求項６記載の用具。
【請求項８】
一つ以上の前記各弾性手段が、同一の弾力性又は異なる弾力性を有する請求項７記載の用具。
【請求項９】
前記複数のブラシ毛又はブラシ毛の前記複数の束のうち一つ以上が、一つ以上の各弾性手段を介して前記支持部材への接続に適合している請求項６記載の用具。
【請求項１０】
一つ以上の前記各弾性手段が、同一の弾力性又は異なる弾力性を有する請求項９記載の用具。
【請求項１１】
前記複数のブラシ毛又はブラシ毛の前記複数の束のうち一つ以上が、同じ剛性又は異なる剛性を有する請求項６記載の用具。
【請求項１２】
一つ以上の前記ブラシ部が、前記清掃部材の二つの互いに反対側の長手方向の側部に設けられた二つのブラシ部を備えている請求項６記載の用具。
【請求項１３】
前記清掃部材は、前記支持部材に解除可能に取り付けることができる請求項１記載の用具。
【請求項１４】
さらに、前記支持部材及び前記清掃部材を収容することに適合しているハウジングを備えている請求項１記載の用具。
【請求項１５】
前記ハウジングが、前記清掃部材とともに収集室を形成し、前記収集室は、前記清掃部材から集められたごみを収集して収容するように前記清掃部材に対して開かれている請求項１４記載の用具。
【請求項１６】
さらに、前記清掃部材を少なくとも部分的に覆うことに適合し、これにより前記清掃部材から集められたごみが散って落ちることを防止又は減少させるカバー部材を備えている請求項１記載の用具。
【請求項１７】
前記ハウジングが、用具を清掃道具に解除可能に接続することに適合している接続手段を備えている請求項１４記載の用具。
【請求項１８】
前記接続手段が、収集室と流体連通して配置されている請求項１７記載の用具。
【請求項１９】
一つ以上の前記ブラシ部を支持する前記清掃部材の表面の一部が湾曲している請求項６記載の用具。
【請求項２０】
前記清掃部材が、実質的に円筒の形状を有する請求項１記載の用具。
【請求項２１】
請求項１ないし２０のいずれか１項記載の用具を備えているカーペットブラシ。
【請求項２２】
請求項１ないし２０のいずれか１項記載の用具を備えている真空掃除機。
【請求項２３】
清掃するべき表面に当たることに適合している清掃部材と、
前記清掃部材を支持する支持部材であって、前記清掃部材に加えられた外力に応答して、前記清掃部材が支持部材に対して相対的に伸長位置及び退避位置の間で弾性的に可動である、支持部材と、
前記支持部材に設けられている一つ以上の当接部材と、
前記支持部材に設けられ、柄部を受ける柄部保持手段とを備え、
前記当接部材は、前記清掃部材が前記退避位置になったときに、前記表面に当たることに適合し、これにより前記清掃部材がさらに退避することを実質的に防止する、ブラシヘッド。
【発明の詳細な説明】
【技術分野】
【０００１】
本発明は、清掃用具に関し、限定するわけではないが、特にブラシヘッド、例えば、限定するわけではないが、じゅうたん、敷物、マットなどを清掃するブラシヘッドに関する。
【背景技術】
【０００２】
多くの種類の清掃用具又は清掃道具、例えば限定するわけではないが、ブラシ、モップ、ほうきは、清掃を必要とする地面又は任意の表面から汚れ、ごみくず、廃棄物などを除去するのに広く用いられてきた。市場で入手可能な異なるタイプの清掃用具のうち、カーペットブラシは一般的に、複数のブラシ毛又はブラシ毛の複数の束を有し、じゅうたんの布地に当たり、より具体的にはこれを擦り（掃き出す動作を行い）、はいり込んだ汚れ又は毛髪をじゅうたんの布地からほぐし出し、その後に取り除く。特に、厚み及び／又は材質の異なるじゅうたん、マット、敷物などを清掃するために、ブラシ毛の異なる特性、例えば限定するわけではないが、長さ、剛性及び／又は弾力性の異なるブラシ毛を備えるように、異なるカーペットブラシが構成されている。一般的に、ブラシのブラシ毛は、長いほど、及び／又は剛性が高いほど、じゅうたんの表面の布地内に、深く突き通ることができ、従ってそれだけ一層、擦る効果又は清掃効果が良好になる。しかし、ブラシ毛の布地へ一層深く突き通すことは、清掃中にユーザーが加える手の力をさらに必要とすることを意味する。付け加えれば、じゅうたん、敷物、マットなどの一つ以上のタイプに対して、異なったブラシ毛の特性を持ったブラシ毛を有する数個の異なるブラシを一般的に家庭内で必要とすることがある。この点で不便であり好ましくない。
【発明の概要】
【０００３】
本発明の目的は、清掃用具を提供することであり、上述の欠点を克服し、少なくとも有用な代替物を提供するものである。
【０００４】
本発明の他の目的は、既知のブラシに伴う一つ以上の問題をある程度緩和するか又は除去することである。
【０００５】
上記の目的は、主請求項の特徴の組み合わせで達成される。従属請求項は、本発明の優れた利点を有するさらなる実施形態を記載している。
【０００６】
当業者であれば、下記の記載から本発明の他の目的を導出することであろう。従って、前述の目的の記載は、網羅的ではなく、本発明の多数の目的のいくつかを例示するものに過ぎない。
【０００７】
第１の態様では、本発明は、清掃のための用具を提供する。用具は、清掃するべき表面に当たることに適合している清掃部材と、清掃部材を支持する支持部材であって、清掃部材に加えられた外力に応答して、清掃部材が支持部材に対して相対的に伸長位置及び退避位置の間で弾性的に可動である、支持部材と、支持部材に設けられている一つ以上の当接部材とを備え、当接部材は、清掃部材が退避位置になったときに、前記表面に当たることに適合し、これにより清掃部材がさらに退避することを実質的に防止する。
【０００８】
第２の態様では、本発明は、第１の態様の用具を備えているカーペットブラシを提供する。
【０００９】
第３の態様では、本発明は、第１の態様の用具を備えている真空掃除機を提供する。
【００１０】
第４の態様では、本発明は、ブラシヘッドを提供する。ブラシヘッドは、清掃するべき表面に当たることに適合している清掃部材と、清掃部材を支持する支持部材であって、清掃部材に加えられた外力に応答して、清掃部材が支持部材に対して相対的に伸長位置及び退避位置の間で弾性的に可動である、支持部材と、支持部材に設けられている一つ以上の当接部材と、支持部材に設けられ、柄部を受ける柄部保持手段とを備え、当接部材は、清掃部材が退避位置になったときに、前記表面に当たることに適合し、これにより清掃部材がさらに退避することを実質的に防止する。
【００１１】
本発明の概要は、本発明を規定するのに本質的な特徴を必ずしも全て記載するわけではない。本発明は、開示した特徴の下位の組み合わせの中にあってもよい。
【図面の簡単な説明】
【００１２】
本発明の上述のまたなお一層の特徴は、添付する図面に関連して例としてのみ供される好ましい実施形態の後述する説明から明らかなものとなる。
【００１３】
【図１】本発明の実施形態に係るカーペットブラシの形態で提供された清掃用具を示す斜視図である。
【図２】ブラシヘッドを示す図１の清掃用具の別の斜視図である。
【図３】図２のブラシヘッドを示す側面の横断面図である。
【図４】図２のブラシヘッドの部分的な斜視図である。
【図５】図２のブラシヘッドの別の部分的な斜視図である。
【図６】本発明の別の実施形態に係るブラシヘッドの形態での清掃用具を示す斜視図である。
【図７】図６の清掃用具を示す底面図である。
【図８】図６の清掃用具を示す側面図である。
【発明を実施するための形態】
【００１４】
以下の説明は、本発明を有効なものとするのに必要な特徴の組み合わせに限定することなく、単なる例としての好ましい実施形態に関するものである。
【００１５】
本明細書中で「一つの実施形態」又は「実施形態」に言及することは、その実施形態に関連する特定の特徴、構造又は特性が本発明の少なくとも一つの実施形態に含まれることを意味する。本明細書のいろいろな部分で「一つの実施形態で」という語句を使用する場合は、同一の実施形態に必ずしも全て言及するわけではないし、他の実施形態と相互に排他的な、別個又は代替の実施形態に必ずしも全て言及するわけではない。さらに、ある実施形態に明示され得るが他の実施形態には明示され得ないさまざまな特徴について説明を行う。同様に、ある実施形態のための要件になり得るが他の実施形態のための要件になり得ないさまざまな要件について説明を行う。
【００１６】
本件の請求項では、特定された機能を実行する手段として表現された任意の要素は、その機能を実行する任意の方法を包含するものとして意図される。従って、これらの機能を供することができる任意の手段は、本明細書で示したものと等価である。
【００１７】
本発明は全体として、清掃するべき地面、床、又は任意の表面から、汚れ、ごみくず、廃棄物、毛髪、生ごみなどを収集及び／又は除去するための清掃用具（ｃｌｅａｎｉｎｇ  ａｐｐａｒａｔｕｓ）又は清掃道具に関するものである。清掃用具は、適用可能な道具の任意の形態、例えば、限定されるわけではないが、使用中にユーザーが手で持てるようにした携帯用のハンドブラシ又は擦る道具（ｓｃｒｕｂ）、又は、立ち姿勢でユーザーが簡単に持てるように延長した柄部及び／又は伸長した柄部に固定して及び／又は分離可能に接続されたブラシヘッドを有するブラシなどの形態で提供できる。清掃用具はまた、柄部に解除可能に接続するためのコネクター又はアダプターを有するブラシヘッドの形態で提供されてもよく、これにより、ブラシヘッドは、摩耗したときでも簡単に取り外して交換することができる。解除可能なブラシヘッドは、さらに、限定されるわけではないが、真空掃除機の吸引パイプなど、他の清掃用具の適切な部分に接続されるように構成されてよく、これにより、異なる表面で清掃を行うのに真空掃除機のための異なるタイプのブラシヘッドを交換可能にする。
【００１８】
図１〜５を参照して述べると、本発明の実施形態に係るブラシヘッド１０という形態で提供された清掃用具１０が図示されている。本実施形態では、ブラシヘッド１０は、ブラシ２０となるように、固定して又は解除可能に、柄部１５に接続することが可能である。ブラシヘッド１０は、清掃するべき表面に当たる（ｅｎｇａｇｅ）ことに適合した清掃部材３０を備えていてよい。一つの実施形態で清掃部材３０は、一つ以上のブラシ部３２を有していてよく、そのそれぞれが複数のブラシ毛３４又はブラシ毛の複数の束を備えている。
【００１９】
一つの特定の実施形態で、清掃部材３０は実質的に円筒形に構成することができ、及び／又は、図面に示したように、一つ以上のブラシ部３２を支持した清掃部材３０の表面に湾曲部を有して構成することができる。しかし、本発明の発明上の着想から離れないで改変が適切で適合可能であると考えられる範囲で、清掃部材３０の任意の変形、例えば、サイズ、構成、構造及び／又は材質などに関しての変形などもやはり含まれることは当業者であれば理解することである。例えば一つの実施形態で清掃部材３０は、円筒形の本体の、例えば両端部に設けられた任意の既知の及び／又は適用可能な接続手段又は当接手段を介して、清掃用具１０の一部又は本体に解除可能に取り付けることができる形態で構成される。
【００２０】
ブラシヘッド１０はさらに、清掃部材３０を支持する支持部材４０を備えていてよい。特に、ユーザーが清掃部材３０に加える外力に応答して、例えば、柄部１５を介して清掃するべき前述の表面に向けて清掃用具１０を押すことによって、支持部材４０に対して相対的に伸長位置と退避位置との間で弾性的に可動であるように清掃部材３０を配置することができる。一つの実施形態で、一つ以上の弾性手段５０は、清掃部材３０と支持部材４０との間の弾性的な移動を行うか、又はその補助をする。限定されるわけではないが、これにより、一つ以上のバネ部材５０は清掃部材３０を支持部材４０に接続する。この構成で、清掃部材３０は、バネ部材５０により伸長位置に向けてその性質上付勢することが可能であり、清掃部材３０は、弾性により支持部材４０から離れる向きに前進する。支持部材４０から離れる向きに清掃部材３０が前進するので、ブラシ毛３４又はブラシ毛の束はその全長で作用することが可能である。ユーザーによって外からの押圧力又はプレス力が前述の表面に向けて清掃部材３０上に加えられたときに、清掃部材３０は、弾性手段５０での圧縮作用によって支持部材４０へもどるように弾性的に退避することがある。清掃部材３０が支持部材４０に向けて退避することにより、擦ること又は清掃のために使えるブラシ毛３４又はブラシ毛の束の有効長を短くする。
【００２１】
一つの実施形態では、支持部材４０に対して相対的に一つ以上のブラシ部３２の独立した弾性的な移動を提供するように、一つ以上のブラシ部３２が一つ以上の各弾性手段５０を介して支持部材４０に接続されていてよい。各ブラシ部３２上で作用する弾性手段５０は、同じ弾力性でも異なる弾力性でもよい。これにより、ユーザーが外部から押圧力又はプレス力を加えることにより、異なる程度の弾性的な退避、即ちブラシ毛３４又はブラシ毛の束の異なる有効長を提供することができる。
【００２２】
別の一つの実施形態で１本以上のブラシ毛３４又はブラシ毛の束は、同じ又は異なる弾力性を有する一つ以上の弾性手段５０のそれぞれを介して、支持部材４０への接続に適合していてよい。これにより、ブラシ毛３４又はブラシ毛の束が独立してかつ弾性的に伸長位置と退避位置との間で可動になることを可能にするので、退避の程度、従って清掃部材３０のブラシ毛３４又はブラシ毛の束の有効長にさらなる変化を与える。
【００２３】
さらに他の実施形態では、ブラシ毛３４又はブラシ毛の束は同一の剛性、又は異なる剛性を有するように構成することができるし、及び／又は同一の又は異なる材質で形成することができる。弾性手段５０の弾力性の変化に起因するブラシ毛３４又はブラシ毛の束の有効長の変化とともに、ブラシ毛３４又はブラシ毛の束の剛性の差異は、異なるタイプの表面を清掃するのに好適なブラシ毛の特性の広い範囲を提供することに利点がある。例えば、使用する布地の異なるタイプなどを含む、異なる厚み、構造、及び／又は材質のじゅうたんなどである。
【００２４】
ブラシヘッド１０はさらに、例えば支持部材４０に設けられた一つ以上の当接部材（ｅｎｇａｇｉｎｇ  ｍｅｍｂｅｒｓ）６０を備えていてもよい。特に支持部材４０は、清掃部材３０が退避位置にあるときに前述の表面に当たる（ｅｎｇａｇｅ）ことに適合しているので、清掃部材３０がそれ以上退避することが実質的に防止される。例えば図１，３のように清掃部材３０が伸長位置になっているときには、当接部材６０は前述の表面より上に位置するか、より具体的には、例えば図３に示すように、伸長した清掃部材３０によって距離「ｄ」だけ前述の表面より上に上昇される。
【００２５】
使用に当たっては、相対的に厚いじゅうたんを擦る（掃き出す）こと、及び／又はブラシ毛３４又はブラシ毛の束をじゅうたんの中に深く突き通すことが望まれる場合は、ブラシヘッド１０を前述の表面に向けて押す付加的な力を与えたりせずに、ユーザーはブラシヘッド１０又はカーペットブラシ２０を使用してよい。清掃部材３０は、有効な全長とされた状態のブラシ毛３４で伸長位置に保たれ、距離「ｄ」だけ当接手段６０を前述の表面の上方向に上昇させる。他方、ブラシヘッド１０又はカーペットブラシ２０が、相対的に薄いじゅうたん及び／又は繊細な生地でできたじゅうたんに使用されるとき、かつ擦る程度を減少させることが望まれるときには、ユーザーはブラシヘッド１０と清掃部材３０とを前述の表面に向けて単に押せばよく、これにより弾性手段５０を圧縮する。清掃部材３０は、退避位置において支持部材４０に向けて内向きに、弾性的に退避することになる。結果として、ブラシ毛３４は短くなった有効長で作用し、当接手段６０はじゅうたんの表面に当てるために距離「ｄ」の範囲で下降する。
【００２６】
じゅうたんの表面に当接手段６０を当てることは、特に、清掃部材３０の退避の程度を維持又は制限するのに有益であり、擦る動作の間に、ブラシ毛３４の有効長を最適な値に制御するようにする。また、ユーザーが容易に支えにできる簡単な物理的ガイド又は制御を当接手段６０は提供するので、ブラシ毛３４の最適な有効長に到達して維持し、改善された清掃効率を得て、誤ってブラシヘッド１０を過大に圧迫することを回避する。図面に示した実施形態では、回転できる状態でじゅうたんの表面に当てることが可能であるように、当接手段６０は、一つ以上のホイール部材６０など、一つ以上の回転手段であることが好ましい。最適レベルの高さを越えてさらに清掃部材３０が退避することを防止するので、ユーザーからの任意に誤って過大に与えられた押圧力又はプレス力によって清掃部材３０，支持部材４０及び／又はこれらの間の接続部分、例えば弾性手段５０が破損することを回避するのに役立つ。
【００２７】
一つの実施形態では、ブラシヘッド１０は支持部材４０，清掃部材３０を収容する（ａｃｃｏｍｍｏｄａｔｅ）ことに適合したハウジング１２を備えていてよい。ハウジング１２は、清掃部材３０とともに収集室１６を形成するように構成されていてよい。収集室１６は、清掃部材３０に対して開いていて、清掃部材３０からのすべての受け入れたごみくず又は集めたごみくずを収集して収容する。ブラシヘッド１０又はブラシヘッド１０のハウジング１２はさらに、カバー部材１４を備えていてよく、これは清掃部材３０を少なくとも部分的に覆うことに適合している。これにより、特にユーザーが擦る動作をする間に、収集されたごみくずが清掃部材３０から散って落ちることを防止又は減少させる。ブラシヘッド１０又はハウジング１２はさらに、ブラシヘッド１０を柄部に解除可能に接続する接続手段１８を備えていてよい。柄部は例えば、図１に示した柄部１５、又は清掃道具又は清掃道具の一部、例えば、真空掃除機の吸引パイプ又はホースなどである。解除可能な接続は、任意の既知の接続方法で実施できる。例えば、ネジ止め、摩擦的係合などである。真空掃除機の吸引パイプ又はホースへの接続に接続手段１８を適合させるために、ハウジング１２、特に収集室１６に流体連通して接続手段１８を構成することが好ましい。これにより、清掃部材３０から収集され収集室１６に収容されているごみくずが、接続手段１８を介して真空掃除機の吸引パイプ又はホースに搬送でき、その後に真空掃除機によって収集、除去できる。もう一つの実施形態では、清掃部材３０は、支持部材４０及び／又はハウジング１２に解除可能に取り付けることができるように構成されてよく、これにより清掃部材３０はブラシ毛３４がすり切れたときに容易に取り外して交換できる。支持部材４０及び／又はハウジング１２から清掃部材３０を解除可能にすることは、また、異なる清掃目的に供するためにブラシヘッド１０で異なる清掃部材を交換可能に用いるようにする。
【００２８】
図６〜８について述べると、本発明に係る清掃用具１０のもう一つの実施形態が図示されている。本実施形態で清掃部材３０は、清掃部材３０の二つの互いに反対側の長手方向の側部に設けられた二つのブラシ部３２Ａ，３２Ｂを備えている。二つのブラシ部３２Ａ，３２Ｂはそれぞれ、限定するわけではないが、剛性、弾力性、及び／又は異なる材質で形成されることなど、異なる特性のブラシ毛３４又はブラシ毛の束を備えている。反対側の位置に二つのブラシ部３２Ａ，３２Ｂを付けることは、二つの異なるブラシ毛タイプの間でユーザーが容易に特定することを可能にし、またブラシヘッド１０を単に一方の側から他方の側へ返すだけでブラシ毛の二つのタイプの間で容易に選択することを可能にするので、優れた利点である。好ましくは、二つのブラシ部３２Ａ，３２Ｂのブラシ毛３４は、二つのブラシ部３２Ａ，３２Ｂが視覚的に区別できるように異なる色で提供されてもよい。例えば、一層高い剛性を有するブラシ毛を表すのに、暗い色を用いることができ、一層低い剛性を有するブラシ毛を表すのに、薄い色を用いることができる。また、本発明がここで説明する特定の実施形態に限定されるものでないことは当業者であれば直ちに理解できることである。ブラシ部及び／又はブラシ毛の任意の改変、例えば、ブラシヘッドのブラシ部及び／又はブラシ毛の数、配置、構成、構造及び／又は材質などもやはり含むものとする。例えば、本発明の発明上の着想から離れないで改変が適切で適合可能であると考えられる範囲で、本発明のブラシヘッドは、二つより大きな数の横断方向に位置するブラシ部を有してもよく、及び／又はブラシ毛が、じゅうたんなどに当たるための襞付き（ｆｌａｒｅｄ）の端部を有していてもよい。
【００２９】
他の一つの実施形態では、清掃部材３０は二つの独立して配置されたブラシ部３２Ａ，３２Ｂを備えていてもよい。これらはそれぞれ、一つ以上の弾性手段５０を介して支持部材４０に接続され、支持部材４０に対して相対的な二つのブラシ部３２Ａ，３２Ｂの独立した弾性的移動を供するようにする。各ブラシ部３２Ａ，３２Ｂ上でそれぞれ作用する弾性手段５０は、異なる弾力性でも同じ弾力性でもよく、従ってユーザーによって外部の押圧力又はプレス力が加えられたときに、弾性的に退避する程度が異なるように、即ち各ブラシ部３２Ａ，３２Ｂに位置するブラシ毛３４又はブラシ毛の束の有効な長さが異なるように、設定しておいてもよい。ブラシ部３２Ａ，３２Ｂは任意に、支持部材４０から解除可能に取り外しできるように構成されていてもよく、これにより各ブラシ部は、所望に応じて取り外し及び／又は取り替えができるように構成されている。一つの実施形態では、二つの解除できるようにしたブラシ部３２Ａ，３２Ｂが、異なる剛性や色を持った、及び／又は異なる材質で形成されたブラシ毛３４又はブラシ毛の束を支持するように構成されていてもよく、これにより、異なる清掃の目的に供するための交換可能な使用を異なるブラシ部に可能にする。
【００３０】
上述したように、本発明の清掃用具１０は、例えば真空掃除機の吸引パイプ又は柄部など、清掃道具又は清掃道具の一部への、解除可能及び／又は交換可能な接続に適合している。従って本発明は、上述した清掃用具１０の一つ以上の実施形態のいずれかを含むカーペットブラシ、真空掃除機などのような装置に、関連するものであってよい。
【００３１】
上述した実施形態に限定されることなく、本発明の特有の着想から離れることなく種々の変形が適切で適合可能である範囲内では、一つ以上の部分を構成する寸法、構造、構成、設計及び／又は材質に例えば関して、清掃用具の任意の改変は本発明に含まれることとする。これはこの分野の当業者に直ちに理解されることである。
【００３２】
さらに本発明は、ブラシヘッド１０に関連していてよい。ブラシヘッドは、清掃するべき表面に当たることに適合した清掃部材３０と、清掃部材３０を支持する支持部材４０とを備えている。清掃部材３０は、上述したような清掃部材に加えられた外力に応答して、支持部材に対して相対的に伸長位置及び退避位置の間で弾性的に可動に構成されている。さらにブラシヘッド１０は、支持部材４０に設けられた一つ以上の当接部材６０と、柄部１５を受け入れるように支持部材４０に設けられた柄部保持手段１８とを備えていてよい。当接部材６０は、清掃部材３０が退避位置にあるときに前述の表面に当たることに適合しているので、清掃部材３０がそれ以上退避することは実質的に防止される。
【００３３】
本明細書は、本発明の原理を例示するものである。従って、本明細書で明示的に説明や図示をしない場合であっても、本発明の原理を実施していてその趣旨と範囲に含まれる種々の形態を、本分野の当業者であれば製作することができることが理解される。
【００３４】
さらに、本発明の原理、態様及び実施形態を述べた本明細書の記載のすべては、その特定の実例とともに、本発明の構造的、及び機能的な等価物を含むものとして意図される。付け加えれば、このような等価物は、現在既に知られている等価物を含むのみならず、将来開発される等価物、即ち、構造に無関係に同じ機能で作動する発展した要素を含むことが意図される。
【００３５】
本発明を、上述の記載と図面に詳細に例示して説明したが、この発明は例示的なものとみなされるべきであり、性格上限定的なものではない。例示的な実施形態のみが図示されて説明されているが、いかなる形でも本発明の範囲を制限しないことが理解される。本明細書で説明した任意の特徴を、任意の実施形態で用いてよいことは、正しく理解されうることである。例示的な実施形態は、互いに排他的なものではないし、本明細書で述べていない他の実施形態との間で排他的なものではない。従って、本発明はさらに、上述した一つ以上の例示的な実施形態の組み合わせからなる実施形態を供するものである。本明細書で述べた本発明の改変や変形は、発明の精神と範囲から離れることなく構成することができ、従って、添付した請求項に示されるような限定のみが課せられることとする。
【００３６】
後述する請求項、また本発明の前述した説明の中で、明言した言語表現又は必要な含意を理由として文脈上異なるものが必要になる場合を除き、「備える（ｃｏｍｐｒｉｓｅ）」という単語、又は「備え（ｃｏｍｐｒｉｓｅｓ）」や「備えている（ｃｏｍｐｒｉｓｉｎｇ）」のような変化形は包括的な意味に用いられる。即ち、言明した特徴の存在を特定するが、本発明の多様な実施形態のさらなる特徴の存在又は追加を排除するものではないのである。
【００３７】
本明細書でいずれかの従来技術の刊行物に言及する場合も、この刊行物が当該分野での共通の一般的知識の一部をなすということの自認を構成するものではないということが理解される。
【図１】
2021512655.tif 000003
【図２】
2021512655.tif 000004
【図３】
2021512655.tif 000005
【図４】
2021512655.tif 000006
【図５】
2021512655.tif 000007
【図６】
2021512655.tif 000008
【図７】
2021512655.tif 000009
【図８】
2021512655.tif 000010
【国際調査報告】
2021512655.tif 000011
2021512655.tif 000012
2021512655.tif 000013